(57)【要約】      （修正有）【課題】簡単確実に常用めがねに装着できるサポート用前掛けめがねを提供する。【解決手段】ブリッジを介して左右に配置される一対のめがねレンズ３２とめがねレンズ側に各別に取着される左右一対のつる３４とを少なくとも備える常用めがね３１への着脱が自在な前掛け用サポートめがね１１において、拡大レンズ機能とサングラス機能と偏光グラス機能とのうちから選択される１以上の光学特性が付与されてめがねレンズ側に対面配置される一対のサポート用レンズ１２部とめがねレンズ側への押圧力に抗する反発力を付与してサポート用レンズ部相互を連結する連結部とが合成樹脂材により一体形成され、サポート用レンズ部側には、上縁部にめがねレンズ方向へと水平突出させて対面するめがねレンズ上縁側への当接自在な上支え片を設け、連結部は、サポート用レンズ部相互を連結する連結本体部とその下縁部からブリッジ３３の下縁近傍を経させた水平片２６の開放先端縁からブリッジ側と正対方向へと起立片を向けてなる下支えフック部２５とで形成。【選択図】図４
0003223651.tif 000002
【実用新案登録請求の範囲】
【請求項１】
ブリッジを介して左右に配置される一対のめがねレンズと、これらめがねレンズ側に各別に取着される左右一対のつるとを少なくとも備える常用めがねへの着脱が自在な前掛け用サポートめがねにおいて、
該前掛け用サポートめがねは、拡大レンズ機能とサングラス機能と偏光グラス機能とのうちから選択されるい１以上の光学特性が付与されて前記めがねレンズ側に各別に対面配置される一対のサポート用レンズ部と、前記めがねレンズ側への押圧力に抗する反発力を付与して前記サポート用レンズ部相互を連結する連結部とが合成樹脂材により一体形成され、
前記サポート用レンズ部側には、それぞれの上縁部に前記めがねレンズ方向へと水平突出させて対面する前記めがねレンズの上縁側への当接が自在な上支え片を設けるとともに、
前記連結部は、前記サポート用レンズ部相互を連結する連結本体部と、該連結本体部の下縁部から前記ブリッジの下縁近傍を経させた水平片の開放先端縁から前記ブリッジ側と正対する方向へと起立片を向けてなる下支えフック部とで形成したことを特徴とする前掛け用サポートめがね。
【請求項２】
前記光学特性は、少なくとも一対の前記サポート用レンズ部自体に予め付与してある請求項１に記載の前掛け用サポートめがね。
【請求項３】
前記光学特性は、一対の前記サポート用レンズ部に光学的機能部材を添着して事後的に付与した請求項１に記載の前掛け用サポートめがね。
【考案の詳細な説明】
【技術分野】
【０００１】
本考案は、めがねとしての基本的な構造を備えた常用めがねでありさえすれば、その機種の如何を問わずワンタッチ操作で容易に、かつ、確実に着脱できる柔軟で汎用性に富むサポート用前掛けめがねに関する技術である。
【背景技術】
【０００２】
日本人には、近視用めがねや遠近両用めがねを常用めがねとして日常的にかけて使用している人が多い。このような常用めがねについては、従来から太陽光の強く当たる場所や河原や海岸などのように紫外線の強いフィールドに出るに際し、目を守るためのサングラスや偏光グラスなどとしての機能を得るためのサポート用前掛けめがねを常用めがね側に後付けで装着して使用する例が多い。
【０００３】
そして、従来からあるこの種のサポート用前掛けめがねについては、例えば特許文献１や特許文献２などが常用めがねへの着脱構造に工夫を凝らした先行技術として既に提案されている。
【先行技術文献】
【特許文献】
【０００４】
【特許文献１】実用新案登録第３１１７５８０号公報
【特許文献２】実用新案登録第３０７８３７５号公報
【０００５】
すなわち、特許文献１の「前掛け式メガネ」は、サポート用前掛けめがねとしての前掛けフレームにおける連結部材は凹部を備え、該凹部を介して常用めがねにあって左右のレンズを一体的に連結する連結部材を嵌着することで、常用めがねに対しサポート用前掛けめがねを一体化できる構造が開示されている。
【０００６】
また、特許文献２の「前掛け式眼鏡の掛止機構」には、左右一対のメインレンズを保持するメインリムを連結部材であるメインブリッジを介して連結されている常用めがねとしてのメイン眼鏡と、左右一対のサブレンズを連結部材としての掛止ブリッジを介して連結したサポート用前掛けめがねとしての前掛けフレームとで構成されている。
【０００７】
そして、前掛けフレームは、その周縁に延設された掛止ヅメと、掛止ブリッジに設けたフック部とを有し、該フック部はメイン眼鏡のメインブリッジに、掛止ヅメはメインリムにそれぞれ掛合させることで、メイン眼鏡のフロント枠側に配置できるようにした構造が開示されている。
【考案の概要】
【考案が解決しようとする課題】
【０００８】
しかし、特許文献１の「前掛け式メガネ」による場合は、サポート用前掛けめがねとしての前掛けフレームにおける連結部材が備える凹部は、常用めがねにあって左右のレンズを一体的に連結する連結部材と嵌合できる構造を備えていなければならず、したがって、前掛けフレームの連結部材が備える凹部は、常用めがね側の連結部材の構造に合致させなければならないという制約があり、それだけ適応性に欠けるという不都合があった。
【０００９】
また、特許文献２の「前掛け式眼鏡の掛止機構」による場合は、前掛けフレームの周縁に延設された掛止ヅメと、掛止ブリッジに設けたフック部とを協働させたフック部をメイン眼鏡のメインブリッジに、掛止ヅメをメインリムにそれぞれ掛合させる必要があり、特許文献１と同様に適応性に欠けるという不具合があった。
【００１０】
本考案は、従来技術にみられた上記課題に鑑みてなされたものであり、標準的なめがね構造を備えた常用めがねでありさえすれば、該常用めがねに対しその機種の如何を問わずワンタッチ操作で容易に、かつ、確実に着脱できる柔軟で汎用性に富むサポート用前掛けめがねを提供することをその目的とする。
【課題を解決するための手段】
【００１１】
本考案は、上記目的を達成すべくなされたものであり、ブリッジを介して左右に配置される一対のめがねレンズと、これらめがねレンズ側に各別に取着される左右一対のつるとを少なくとも備える常用めがねへの着脱が自在な前掛け用サポートめがねにおいて、該前掛け用サポートめがねは、拡大レンズ機能とサングラス機能と偏光グラス機能とのうちから選択されるい１以上の光学特性が付与されて前記めがねレンズ側に各別に対面配置される一対のサポート用レンズ部と、前記めがねレンズ側への押圧力に抗する反発力を付与して前記サポート用レンズ部相互を連結する連結部とが合成樹脂材により一体形成され、前記サポート用レンズ部側には、それぞれの上縁部に前記めがねレンズ方向へと水平突出させて対面する前記めがねレンズの上縁側への当接が自在な上支え片を設けるとともに、前記連結部は、前記サポート用レンズ部相互を連結する連結本体部と、該連結本体部の下縁部から前記ブリッジの下縁近傍を経させた水平片の開放先端縁から前記ブリッジ側と正対する方向へと起立片を向けてなる下支えフック部とで形成したことをを最も主要な特徴とする。
【００１２】
この場合、前記光学特性は、少なくとも一対の前記サポート用レンズ部自体に予め付与したり、一対の前記サポート用レンズ部に光学的機能部材を添着して事後的に付与したりすることができる。
【考案の効果】
【００１３】
請求項１に係る考案によれば、サポート用レンズ部側には、それぞれの上縁部に上支え片が設けられているほか、めがねレンズ側への押圧力に抗する反発力を付与してサポート用レンズ部相互を連結する連結部は、サポート用レンズ部相互を連結する連結本体部と下支えフック部とで形成されているので、常用めがねのめがねレンズ側にサポート用レンズ部を押し込みながら常用めがねのブリッジに下支えフック部を掛止させるとともに、サポート用レンズ部が備える上支え片を常用めがねのめがねレンズの上縁側に当接させた状態で押圧力を解除することで、常用めがね側の機種や構造の如何にかかわらず前掛け用サポートめがねを簡単、確実に装着することができる。また、前掛け用サポートめがねは、めがねレンズに対しての上支え片の当接状態を単に解消させることで、直ちに取り外すことができる。
【００１４】
しかも、前掛け用サポートめがねの一対のサポート用レンズ部には、拡大レンズ機能とサングラス機能と偏光グラス機能とのうちから選択されるい１以上の光学特性が付与されているので、所望に応じた光学特性を常用めがねのためのサポート機能として発揮させることができる。
【００１５】
また、一対のサポート用レンズ部と連結部とからなる前掛け用サポートめがねは、一体成形することでその全体が形成されているので、適宜の合成樹脂材を用いた構造簡素な成形加工品として安価に提供することができる。
【００１６】
請求項２に係る考案によれば、光学特性は、少なくとも一対のサポート用レンズ部自体に予め付与されているので、それだけ全体構造を簡素化することで製造効率を高めた量産化に有効に寄与させることができる。
【００１７】
請求項２に係る考案によれば、光学特性は、一対のサポート用レンズ部に光学的機能部材を添着して付与することから、その製造工程は増えるものの、使用者の所望に応じた光学特性を事後的に柔軟に付与してやることができる。
【図面の簡単な説明】
【００１８】
【図１】本考案の加工前の一例を示す展開図。
【図２】本考案の図１に示す例についての加工後の状態を示す全体斜視図。
【図３】本考案の他例についての加工後の状態を示す全体斜視図。
【図４】常用めがねへの図３に示す例の装着途中の状態を示す要部斜視図。
【図５】常用めがねへの図３に示す例の装着後の状態を示す全体斜視図。
【考案を実施するための形態】
【００１９】
本考案に係る前掛け用サポートめがね１１は、図４に示すようにブリッジ３３を介して左右に配置される一対のめがねレンズ３２，３２と、これらのめがねレンズ３２側に各別に取着される左右一対のつる３４，３４とを少なくとも備える常用めがね３１へ着脱が自在に形成されている。
【００２０】
すなわち、図１は、本考案に係る前掛け用サポートめがね１１の加工前の一例を示す展開図であり、その全体は、拡大レンズとサングラスと偏光グラスとのうちから選択されるい１以上の光学特性が付与されて図４に示すようにめがねレンズ３２側に各別に対面配置される一対のサポート用レンズ部１２，１２と、めがねレンズ３２側への押圧力に抗する反発力を付与してサポート用レンズ部１２，１２相互を連結する連結部２２とを適宜の合成樹脂材を用いて一体成形することで形成されている。
【００２１】
この場合における拡大レンズ機能やサングラス機能や偏光グラス機能などの光学特性は、サポート用レンズ部１２自体に拡大レンズ機能やサングラス機能や偏光グラス機能を予め付与しておいたり、後付けでサポート用レンズ部１２に別途用意される拡大レンズシートや適宜の色付きシートや偏光シートからなる光学的機能部材１４を添着することで事後的に付与したりすることができる。また、サポート用レンズ部１２に光学特性を後付けで付与する場合には、拡大レンズ機能とサングラス機能と偏光グラス機能とのうちから選択される１以上を事後的に適宜組み合わせることで付与することもできる。
【００２２】
つまり、上記光学特性が付与された後の前掛け用サポートめがね１１は、例えば図３に示すようなあたかもフレーム付きめがねのような外観印象を呈する製品として提供できることになる。
【００２３】
また、めがねレンズ３２側への押圧力に抗する反発力は、連結部２２を介してサポート用レンズ部１２，１２相互を図２に示すように内側に反らせた配置関係とすることで生成付与することができる。
【００２４】
しかも、図１における各サポート用レンズ部１２側には、それぞれの上縁部１２ａにめがねレンズ３２方向へと水平突出させる方向への折曲が自在な上支え片１３が突設されており、該上支え片１３を図２に示すように折曲して庇状に上支え片１３を変形させることで、図５に示すように対面するめがねレンズ３２の上縁３２ａ側への当接掛止を自在とすることができる。
【００２５】
また、連結部２２は、図１に示されているようにサポート用レンズ部１２，１２相互を連結する連結本体部２２と、該連結本体部２２の下縁部２３ａ側から同一面方向へと舌状に延設されて折曲後に水平片２５と起立片２６とに変形させるための舌状部２４とが一体となって形成されている。
【００２６】
このため、加工後の連結部２２における舌状部２４は、図５に示すように連結本体部２２の下縁部２３ａ側からブリッジ３３の下縁３３ａ近傍を経させるように折曲した水平片２５の開放先端縁２５ａからさらにブリッジ３３側と正対する方向へと起立片２６を折り上げることで、図２に示すように略Ｌ字状を呈する下支えフック部２４へと変形させることができることになる。
【００２７】
次に、上記構成からなる本考案の作用である前掛け用サポートめがね１１の常用めがね３１への着脱（装着・取り外し）について図４および図５に基づいて説明すれば、図４に示すように常用めがね３１の外面に前掛け用サポートめがね１１の内面が対面するように配置した上で、前掛け用サポートめがね１１の上支え片１３をめがねレンズ３２の上縁３２ａ側に当接掛止させながら、サポート用レンズ部１２側をめがねレンズ３２側に押し付けながら下支えフック部２５をブリッジ３３に下側から回り込ませて起立片２７側がブリッジ３３側に対面するように配置する。
【００２８】
このように下支えフック部２５をブリッジ３３側に配置した後は、サポート用レンズ部１２側をめがねレンズ３２側に押し付けている押圧力を解除するというワンタッチ操作をすることで、その際に生成される反発力により下支えフック部２５における起立片２７がブリッジ３３に圧接する結果、最も安定的な支持構造とされる左右の上支え片１２による２点支持と下支えフック部２５による１点支持との計３点支持のもとで、図５に示すように常用めがね３１に対し前掛け用サポートめがね１１を安定的に装着することができる。
【００２９】
また、常用めがね３１から前掛け用サポートめがね１１を取り外す際は、上記装着手順とは反対の手順を踏むことで、つまり、サポート用レンズ部１２側をめがねレンズ３２側に押し付けながら下支えフック部２５をブリッジ３３側から外すという簡単なワンタッチ操作のもとでその装着状態を容易に解消させることができる。
【００３０】
次に、本考案の効果について説明すれば、サポート用レンズ部１２側には、それぞれの上縁部１２ａに上支え片１３が設けられているほか、めがねレンズ３２側への押圧力に抗する反発力を付与してサポート用レンズ部１２，１２相互を連結する連結部２２は、サポート用レンズ部１２，１２相互を連結する連結本体部２３と下支えフック部２５とで形成されているので、常用めがね３１のめがねレンズ３２側にサポート用レンズ部１２を押し込むようにして常用めがね３１のブリッジ３３に下支えフック部２５を掛止させるとともに、サポート用レンズ部１２が備える上支え片１３を常用めがね３１のめがねレンズ３２の上縁３２ａ側に当接させた状態で押圧力を解除することで、常用めがね３１側の機種や構造の如何にかかわらず前掛け用サポートめがね１１を簡単、確実に装着することができる。また、前掛け用サポートめがね１１は、めがねレンズ３２側に押圧しながらブリッジ３３への下支えフック部２５の掛止状態を解除すれば上支え片１３の当接状態も直ちに解消させて取り外すことができる。
【００３１】
しかも、前掛け用サポートめがね１１の一対のサポート用レンズ部１２，１２には、拡大レンズ機能とサングラス機能と偏光グラス機能とのうちから選択される１以上の光学特性が付与されているので、所望に応じた光学特性を常用めがね３１のためのサポート機能として発揮させることができる。
【００３２】
また、一対のサポート用レンズ部１２，１２と連結部２２とからなる前掛け用サポートめがね１１は、一体成形することでその全体が形成されているので、適宜の合成樹脂材を用いた構造簡素な成形加工品として安価に提供することができる。
【００３３】
さらに、光学特性が少なくとも一対のサポート用レンズ部１２，１２自体に予め付与されている場合には、それだけ全体構造を簡素化することで製造効率を高めた量産化に有効に寄与させることができる。
【００３４】
また、光学特性が一対のサポート用レンズ部１２，１２に光学的機能部材１４を添着して付与される場合には、その製造工程は増えるものの、使用者の所望に応じた光学特性を事後的に柔軟に付与してやることができる。
【符号の説明】
【００３５】
１１  前掛け用サポートめがね
１２  サポート用レンズ
１２ａ  上縁部
１３  上支え片
１４  光学的機能部材
２２  連結部
２３  連結本体部
２３ａ  下縁部
２４  舌状片
２５  下支えフック部
２６  水平片
２６ａ  開放先端縁
２７  起立片
３１  常用めがね
３２  めがねレンズ
３２ａ  上縁
３３  ブリッジ
３３ａ  下縁
３４  つる
【図１】
0003223651.tif 000003
【図２】
0003223651.tif 000004
【図３】
0003223651.tif 000005
【図４】
0003223651.tif 000006
【図５】
0003223651.tif 000007
【手続補正書】
【提出日】令和1年8月23日(2019.8.23)
【手続補正１】
【補正対象書類名】実用新案登録請求の範囲
【補正対象項目名】全文
【補正方法】変更
【補正の内容】
【実用新案登録請求の範囲】
【請求項１】
ブリッジを介して左右に配置される一対のめがねレンズと、これらめがねレンズ側に各別に取着される左右一対のつるとを少なくとも備える常用めがねへの着脱が自在な前掛け用サポートめがねにおいて、
該前掛け用サポートめがねは、拡大レンズ機能とサングラス機能と偏光グラス機能とのうちから選択される１以上の光学特性が付与されて前記めがねレンズ側に各別に対面配置される一対のサポート用レンズ部と、前記めがねレンズ側への押圧力に抗する反発力を付与して前記サポート用レンズ部相互を連結する連結部とが合成樹脂材により一体形成され、
前記サポート用レンズ部側には、それぞれの上縁部に前記めがねレンズ方向へと水平突出させて対面する前記めがねレンズの上縁側への当接が自在な上支え片を設けるとともに、
前記連結部は、前記サポート用レンズ部相互を連結する連結本体部と、該連結本体部の下縁部から前記ブリッジの下縁近傍を経させた水平片の開放先端縁から前記ブリッジ側と正対する方向へと起立片を向けてなる下支えフック部とで形成したことを特徴とする前掛け用サポートめがね。
【請求項２】
前記光学特性は、少なくとも一対の前記サポート用レンズ部自体に予め付与してある請求項１に記載の前掛け用サポートめがね。
【請求項３】
前記光学特性は、一対の前記サポート用レンズ部に光学的機能部材を添着して事後的に付与した請求項１に記載の前掛け用サポートめがね。
【手続補正２】
【補正対象書類名】明細書
【補正対象項目名】００１１
【補正方法】変更
【補正の内容】
【００１１】
本考案は、上記目的を達成すべくなされたものであり、ブリッジを介して左右に配置される一対のめがねレンズと、これらめがねレンズ側に各別に取着される左右一対のつるとを少なくとも備える常用めがねへの着脱が自在な前掛け用サポートめがねにおいて、該前掛け用サポートめがねは、拡大レンズ機能とサングラス機能と偏光グラス機能とのうちから選択される１以上の光学特性が付与されて前記めがねレンズ側に各別に対面配置される一対のサポート用レンズ部と、前記めがねレンズ側への押圧力に抗する反発力を付与して前記サポート用レンズ部相互を連結する連結部とが合成樹脂材により一体形成され、前記サポート用レンズ部側には、それぞれの上縁部に前記めがねレンズ方向へと水平突出させて対面する前記めがねレンズの上縁側への当接が自在な上支え片を設けるとともに、前記連結部は、前記サポート用レンズ部相互を連結する連結本体部と、該連結本体部の下縁部から前記ブリッジの下縁近傍を経させた水平片の開放先端縁から前記ブリッジ側と正対する方向へと起立片を向けてなる下支えフック部とで形成したことをを最も主要な特徴とする。
【手続補正３】
【補正対象書類名】明細書
【補正対象項目名】００１４
【補正方法】変更
【補正の内容】
【００１４】
しかも、前掛け用サポートめがねの一対のサポート用レンズ部には、拡大レンズ機能とサングラス機能と偏光グラス機能とのうちから選択される１以上の光学特性が付与されているので、所望に応じた光学特性を常用めがねのためのサポート機能として発揮させることができる。
【手続補正４】
【補正対象書類名】明細書
【補正対象項目名】００２０
【補正方法】変更
【補正の内容】
【００２０】
すなわち、図１は、本考案に係る前掛け用サポートめがね１１の加工前の一例を示す展開図であり、その全体は、拡大レンズ機能とサングラス機能と偏光グラス機能とのうちから選択される１以上の光学特性が付与されて図４に示すようにめがねレンズ３２側に各別に対面配置される一対のサポート用レンズ部１２，１２と、めがねレンズ３２側への押圧力に抗する反発力を付与してサポート用レンズ部１２，１２相互を連結する連結部２２とを適宜の合成樹脂材を用いて一体成形することで形成されている。